(57)【要約】【課題】  被検査動物に麻酔を用いることなく、落ち着いた状態をできるだけ早く提供し、良い画像データを得やすいＣＴ撮影が実行できる技術を提供する。【解決手段】  ＣＴ撮影の確実性を向上させるために被検査動物（ＣまたはＤ）の動きを制限するための装置である。一面を開放可能とすることで前記の被検査動物を収容可能な収容部本体(10)と、  その収容部本体(10)における開放可能な面を開閉可能な収容部蓋体(11)と、を備える。前記の収容部本体(10)は、その内部空間の横幅寸法を被検査動物の横幅寸法よりも小さい寸法とし、前記の収容部本体(10)における長手方向に垂直な断面形状は、底部側へ向かって狭めた腹部支持部（腹部支持板15）とする。【選択図】  図２
2019209019.tif 000002
【特許請求の範囲】
【請求項１】
ＣＴ撮影の確実性を向上させるために被検査動物の動きを制限するための装置であって、
一面を開放可能とすることで前記の被検査動物を収容可能な収容部本体と、
その収容部本体における開放可能な面を開閉可能な収容部蓋体と、
を備え、
前記の収容部本体における長手方向に垂直な断面形状は、底部側へ向かって狭めた腹部支持部としたＣＴ検査用収容装置。
【請求項２】
前記の収容部本体は、その内部空間の横幅寸法を被検査動物が座った時の体幅寸法よりも小さい寸法とした
請求項１に記載のＣＴ検査用収容装置。
【請求項３】
無色透明の材質にて形成した請求項１または請求項２のいずれかに記載のＣＴ検査用収容装置。
【請求項４】
収容部本体における側面および上面には、内部空間の換気を確保するための通気用貫通孔を備えた
請求項１から請求項３のいずれかに記載のＣＴ検査用収容装置。
【請求項５】
扇状の板体からなる扇状本体、およびその扇状本体を湾曲させた状態で保持するための固定体を備えた頭部抑制具を備え、
その頭部抑制具は、前記の被検査動物の首へ前記の固定体を用いて巻き付けた状態で弾性変形させ、前記の収容部本体の内部空間へ挿入可能とした
請求項１から請求項４のいずれかに記載のＣＴ検査用収容装置。
【請求項６】
Ｘ線照射装置と、
そのＸ線照射装置からＸ線を照射される被検査対象をＸ線照射装置のＸ線照射空間へ移動させるための移動台と、
その移動台を前記のＸ線照射空間へ移動させる台移動装置と、
前記の移動台へ固定して前記のＸ線照射空間にてＸ線を照射されるＣＴ検査用収容装置と、
を備えたＣＴ装置であって、
前記のＣＴ検査用収容装置は、
一面を開放可能とすることで前記の被検査動物を収容可能な収容部本体と、
その収容部本体における開放可能な面を開閉可能な収容部蓋体と、
を備え、
前記の収容部本体における長手方向に垂直な断面形状は、底部側へ向かって狭めた腹部支持部とした
ＣＴ装置。
【請求項７】
前記の収容部本体は、その内部空間の横幅寸法を被検査動物が座った時の体幅寸法よりも小さい寸法として形成することとした
請求項６に記載のＣＴ装置。
【請求項８】
扇状の板体からなる扇状本体、およびその扇状本体を湾曲させた状態で保持するための固定体を備えた頭部抑制具を備え、
その頭部抑制具は、前記の被検査動物の首へ前記の固定体を用いて巻き付けた状態で弾性変形させ、前記の収容部本体の内部空間へ挿入可能とした
請求項６または請求項７のいずれかに記載のＣＴ装置。
【請求項９】
扇状の板体からなる扇状本体、およびその扇状本体を湾曲させた状態で保持するための固定体を備えた頭部抑制具を備え、
その頭部抑制具は、前記の被検査動物の首へ前記の固定体を用いて巻き付けた状態で弾性変形させ、前記の収容部本体の内部空間へ挿入可能とした
請求項６から請求項８のいずれかに記載のＣＴ装置。
【請求項１０】
前記の移動台および前記のＣＴ検査用収容装置の固定手段は、互いに接する面へ予め固定した面ファスナとした
請求項６から請求項９のいずれかに記載のＣＴ装置。
【発明の詳細な説明】
【技術分野】
【０００１】
本発明は、犬や猫といった愛玩動物（ペット）を診断するためのコンピュータ断層撮影（Computed Tomography；略称として「ＣＴ」）を実行する際、ＣＴ装置にて必要な撮影データを合理的に取得するための技術に関する。
【背景技術】
【０００２】
怪我の程度や病気の原因箇所などを診療するため、コンピュータ断層撮影（ＣＴ）は、普及（およびそれに伴う量産化、低価格化）して久しい。近年では、人間の検診のみならず、ペット（被検査動物）の検診においても用いられるようになってきた。
【０００３】
ペット（被検査動物）の場合は言葉が通じないので、ＣＴスキャンを実行する際の撮影画像を鮮明とするため「動かないように」という指示はできない。そのため、ペット（被検査動物）の動きを抑制するため、麻酔を用いざるを得なかった。
しかし、麻酔を用いての診療は、ペット（被検査動物）に対する身体的な負担を掛けるために、ペットの飼い主が麻酔使用に同意せず、検診が行えない場合も少なくない。また、麻酔を使った場合には、麻酔が覚めるまでのケア時間が必要となる。そのため、診療時間が長くなり（麻酔準備から回復まで１時間程度）、診療のトータルコストも上昇する、という問題がある。
【０００４】
麻酔を用いずに被検査動物の動きを抑制する手法として、特許文献１に開示された技術がある。この技術は、動物の前肢、後肢、頭部をそれぞれ独立した保持具で固定するものである。この動物用保定具を用いれば、麻酔を用いずに被検査動物の動きを抑制することができる、と開示している。
【先行技術文献】
【特許文献】
【０００５】
【特許文献１】特許第６１８１２５１号公報
【発明の概要】
【発明が解決しようとする課題】
【０００６】
特許文献１に係る「動物用保定具」では、以下のような点が問題である。
第一に、被検査動物の腹部は拘束されていないので、安定せず、内蔵付近の撮影画像がぶれてしまうおそれがある。
【０００７】
第二に、被検査動物の肢体が撮影に適したポジションで拘束されているものの、被検査動物にとって落ち着けるポジションではないようである。そのため、撮影前に被検査動物が鳴いたり吠えたり、落ち着きを失うことが多い。その結果、良い撮影画像が撮れなかったり、落ち着くまでに時間を要したりすることが少なくない。
【０００８】
第三に、肢体保持具にて被検査動物の肢体を拘束するので、被検査動物におけるそれぞれの肢体の太さによる調整作業が必要となるため、準備に時間が掛かる。そのため、被検査動物にストレスを与えてしまう時間が検査終了まで長くなる。ストレスを感じた被検査動物は、鳴いたり吠えたり、落ち着きを失うこととなり、良い撮影画像が撮れない。
【０００９】
第一の発明が解決すべき課題は、被検査動物に麻酔を用いることなく、落ち着いた状態をできるだけ早く提供し、良い画像データを得やすいＣＴ撮影が実行できる技術を提供することにある。
【課題を解決するための手段】
【００１０】
本願の発明者は、以下のようなことを経験的に把握した。すなわち、ペットとして飼われてきた被検査動物は、左右の肢体を離して拘束されるより、接触している方が落ち着き、おとなしくしやすい。そうした特性を活かし、本願発明に至った。
【００１１】
（第一の発明）
第一の発明は、ＣＴ撮影の確実性を向上させるために被検査動物（ＣまたはＤ）の動きを制限するための装置（ＣＴ検査用収容装置）に係る。
すなわち、一面を開放可能とすることで前記の被検査動物を収容可能な収容部本体(10)と、  その収容部本体(10)における開放可能な面を開閉可能な収容部蓋体(11)と、を備える。
前記の収容部本体(10)における長手方向に垂直な断面形状は、底部側へ向かって狭めた腹部支持部（腹部支持板15）とする。
【００１２】
（用語説明）
「ＣＴ撮影」とは、患部を透過させたＸ線のデータから画像を得るための撮影である。一般には、アナログのＸ線データを画像はデジタルデータにまで加工する。
【００１３】
「収容部蓋体(11)」は、収容部本体(10)の上面を開閉するものとしてもよいし（図１等参照）、収容部本体(10)の側面を開閉するものとしてもよい（図７参照）。また、収容部蓋体(11)の形状は、板状である場合（図１等参照）のほか、収容部本体(10)の内部空間を広くするために屈曲させたり（図６（ｂ）参照）、湾曲させたり（図示を省略）してもよい。
【００１４】
「腹部支持部」について「底部側へ向かって狭め」るような「収容部本体(10)における長手方向に垂直な断面形状」とは、直線的に狭める形状（図１等参照）であってもよいし、湾曲させて狭める形状（図６（ｂ）参照）であってもよい。
【００１５】
（作用）
ＣＴ検査用収容装置(10)の収容部蓋体(11)を開放し、その内部空間へ被検査動物（ＣまたはＤ）を収容する。収容したら、収容部蓋体(11)を閉める。
ＣＴ検査用収容装置(10)における長手方向に垂直な断面形状が底部側へ向かって狭まっているので、被検査動物（ＣまたはＤ）の肢体は左右が近づく。多くの場合には接触するため、左右の肢体が離れている場合に比べて落ち着くことが多い。  左右が接触した肢体の上へ腹部が載ることとなり、全ての肢体および腹部の動きは制限される。
【００１６】
以上により、被検査動物（ＣまたはＤ）の動きを極めて制限した状態で、ＣＴ撮影をすることができるため、撮影した画像がぶれにくく、質の高い画像データを得やすい。
換言すれば、質の高い画像データを得やすいので、ＣＴ装置の性能（取得できる画像密度＝断層撮影枚数）が高くなくても診療に用いるデータが得られる可能性が高まることとなる。よって、比較的低価格なＣＴ装置でも、診療に用いることが可能となる。
【００１７】
（第一の発明のバリエーション１）
第一の発明に係るＣＴ検査用収容装置は、以下のように形成すると、より好ましい。
すなわち、前記のＣＴ検査用収容装置(収容部本体10)は、その内部空間の横幅寸法を被検査動物が座った時の体幅寸法（図２（ｃ）参照）よりも小さい寸法として形成するのである。
【００１８】
（用語説明）
「被検査動物が座った時の体幅寸法」とは、被検査動物が四肢を折り曲げて腹部を地に着けた時（座った時）に測定される寸法であり、被検査動物（ＣまたはＤ）が立ち上がった状態の体幅寸法（図８（ａ）参照）よりは大きくなる。その「被検査動物が座った時の体幅寸法よりも小さい寸法」とは、その概ね９〜７割程度である。結果として、収容部本体(10) の内部空間の横幅寸法は、体幅（Ｗ）を基準として、０．７Ｗ〜１．２Ｗ程度となる。
【００１９】
（作用）
ＣＴ検査用収容装置(収容部本体10)の内部空間の横幅寸法は、被検査動物が座った時の体幅寸法よりも小さいので、被検査動物（ＣまたはＤ）にとって身体全体の動きは大きく制限される。被検査動物（ＣまたはＤ）の動きを極めて制限した状態で、ＣＴ撮影をすることができるため、撮影した画像がぶれにくく、質の高い画像データを得やすい。
【００２０】
（第一の発明のバリエーション２）
第一の発明に係るＣＴ検査用収容装置は、無色透明の材質にて形成すると、より好ましい。
無色透明の材質とは、主に熱可塑性樹脂である。より具体的には、アクリル樹脂、ポリウレタン・テレフタレート（ＰＥＴ）、などである。
【００２１】
（作用）
被検査動物（ＣまたはＤ）にとっては、視界が大きく奪われることがないので、ストレスが小さい。
ＣＴ撮影を実行する獣医や検査技師、被検査動物（ＣまたはＤ）の飼い主などにとっては、ＣＴ撮影中、または撮影の前後に被検査動物（ＣまたはＤ）の様子を観察できる。
【００２２】
（第一の発明のバリエーション３）
第一の発明に係るＣＴ検査用収容装置は、以下のように形成すると、より好ましい。
すなわち、ＣＴ検査用収容装置(収容部本体10)における側面(たとえば長側板12および短側板14)および上面(たとえば収容部蓋体11)には、内部空間の換気を確保するための通気用貫通孔(10A)を備えるのである。
【００２３】
（作用）
通気用貫通孔(10A)によって、被検査動物（ＣまたはＤ）の呼吸に対する制限を減らす。また、収容部本体(10)の内部空間の気温上昇を抑制する。
【００２４】
（第一の発明のバリエーション４）
第一の発明に係るＣＴ検査用収容装置は、以下のように形成すると、より好ましい。
すなわち、扇状の板体からなる扇状本体(21)、およびその扇状本体(21)を湾曲させた状態で保持するための固定体(23,24)を備えた頭部抑制具(20)を備える（図４参照）。
そして、その頭部抑制具(20)は、前記の被検査動物（ＣまたはＤ）の首へ前記の固定体(23,24)を用いて巻き付けた状態で弾性変形させ、前記の収容部本体(10)の内部空間へ挿入可能とするのである（図５参照）。
【００２５】
（用語説明）
頭部抑制具(20)は、いわゆる「カラー」と呼ばれるものを流用（適正なサイズを選択し、必要であればカットなどをして適正な大きさへ変更することは前提となるが）すると合理的である。ここで、「カラー」とは、被検査動物（ＣまたはＤ）が目、耳、口など頭部を治療した後に、治療箇所を足で触らないようにするために用いる治療器具である。
【００２６】
（作用）
被検査動物（ＣまたはＤ）の首へ頭部抑制具(20)を装着する。すなわち、固定体(23,24)を用いて頭部抑制具(20)の首へ巻き付けて固定する。その状態で弾性変形させ、収容部本体(10)の内部空間へ挿入する。
頭部抑制具(20)と収容部本体(10)の内部空間を形成する内壁とが接触するので、被検査動物（ＣまたはＤ）は頭を動かすためには、頭部抑制具(20)の更なる弾性変形に抗した力を加えなくてはならない。そのため、被検査動物（ＣまたはＤ）は頭を動かしにくくなる。ただし、被検査動物（ＣまたはＤ）は頭を動かしにくくなるものの、全く動かせなくなるような拘束状態ではないので、全く拘束された状態に比べるとストレスが小さい。その結果、撮影した画像がぶれにくく、特に頭部について質の高い画像データを得やすくなる。
【００２７】
（第二の発明）
第二の発明は、第一の発明に係るＣＴ検査用収容装置(10)を用いたＣＴ装置(30)に係る。
すなわち、  Ｘ線照射装置(31)と、  そのＸ線照射装置(31)からＸ線を照射される被検査対象をＸ線照射装置(31)のＸ線照射空間（図３、図１０における円筒の内部空間）へ移動させるための移動台(32)と、  その移動台(32)を前記のＸ線照射空間へ移動させる台移動装置(33)と、  前記の移動台(32)へ固定して前記のＸ線照射空間にてＸ線を照射されるＣＴ検査用収容装置(10)と、を備えたＣＴ装置に係る。
前記のＣＴ検査用収容装置(10)は、  一面を開放可能とすることで前記の被検査動物を収容可能な収容部本体(10)と、  その収容部本体(10)における開放可能な面を開閉可能な収容部蓋体(11)と、を備え、  前記の収容部本体(10)における長手方向に垂直な断面形状は、底部側へ向かって狭めた腹部支持部（腹部支持板15）とする。
【００２８】
（作用）
ＣＴ検査用収容装置(10)の収容部蓋体(11)を開放し、その内部空間へ被検査動物（ＣまたはＤ）を収容する。収容したら、収容部蓋体(11)を閉める。
ＣＴ検査用収容装置(10)における長手方向に垂直な断面形状が底部側へ向かって狭まっているので、被検査動物（ＣまたはＤ）の肢体は左右が近づく。多くの場合には接触するため、左右の肢体が離れている場合に比べて落ち着くことが多い。  左右が接触した肢体の上へ腹部が載ることとなり、全ての肢体および腹部の動きは制限される。
【００２９】
被検査動物（ＣまたはＤ）を収容したＣＴ検査用収容装置(10)は、移動台(32)へ固定する。そして、台移動装置(33)を稼働させてＣＴ検査用収容装置(10)をＸ線照射装置(31)のＸ線照射空間へ移動させ、被検査動物（ＣまたはＤ）に対してＸ線を照射して断層撮影を実行する。
ＣＴ検査用収容装置(収容部本体10)の内部空間の横幅寸法は、被検査動物が座った時の体幅寸法よりも小さいので、被検査動物（ＣまたはＤ）にとって身体全体の動きは大きく制限される。被検査動物（ＣまたはＤ）の動きを極めて制限した状態で、ＣＴ撮影をすることができるため、撮影した画像がぶれにくく、質の高い画像データを得やすい。
【００３０】
（第二の発明のバリエーション１）
第二の発明におけるＣＴ検査用収容装置は、以下のように形成すると、より好ましい。
すなわち、前記の収容部本体(10)は、その内部空間の横幅寸法を被検査動物が座った時の体幅寸法（図２（ｃ）参照）よりも小さい寸法として形成するのである。
【００３１】
（第二の発明のバリエーション２）
第二の発明におけるＣＴ検査用収容装置(収容部本体10)は、無色透明の材質にて形成すると、より好ましい。
また、ＣＴ検査用収容装置における側面(たとえば長側板12および短側板14)および上面(たとえば収容部蓋体11)には、内部空間の換気を確保するための通気用貫通孔(10A)を備えることとすると、より好ましい。
【００３２】
（第二の発明のバリエーション３）
第二の発明におけるＣＴ検査用収容装置は、以下のように形成すると、より好ましい。
すなわち、  扇状の板体からなる扇状本体(21)、およびその扇状本体(21)を湾曲させた状態で保持するための固定体(23,24)を備えた頭部抑制具(20)を備える（図４参照）。
そして、その頭部抑制具(20)は、前記の被検査動物（ＣまたはＤ）の首へ前記の固定体(23,24)を用いて巻き付けた状態で弾性変形させ、前記の収容部本体(10)の内部空間へ挿入可能とする。
【００３３】
（第二の発明のバリエーション４）
第二の発明におけるＣＴ検査用収容装置は、以下のように形成すると、より好ましい。
すなわち、  前記の移動台(32)および前記のＣＴ検査用収容装置(10)の固定手段は、互いに接する面へ予め固定した面ファスナ(17,34)とするのである（図９参照）。
【００３４】
移動台(32)およびＣＴ検査用収容装置(10)の固定手段に面ファスナを採用することで、撮影方向を変更する作業が極めて簡単に行える。固定手段が撮影の邪魔にもならない。
【発明の効果】
【００３５】
第一の発明によれば、被検査動物に麻酔を用いることなく、落ち着いた状態をできるだけ早く提供し、良い画像データを得やすいＣＴ撮影を実行するためのＣＴ検査用収容装置を提供することができた。
第二の発明によれば、被検査動物に麻酔を用いることなく、落ち着いた状態をできるだけ早く提供し、良い画像データを得やすいＣＴ撮影を実行するためのＣＴ装置を提供することができた。
【図面の簡単な説明】
【００３６】
【図１】本発明の実施形態に係るＣＴ検査用収容装置を使用する直前の様子を示す斜視図である。
【図２】本発明の実施形態に係るＣＴ検査用収容装置の平面図（ａ）、側面図（ｂ、ｃ）、および使用状態を示す斜視図（ｄ）である。
【図３】本発明の実施形態に係るＣＴ検査用収容装置を使用してＣＴ装置によるＣＴ撮影を実行する場合を示す斜視図である。
【図４】本発明の実施形態に係るＣＴ検査用収容装置に用いるオプションを示す図である。（ａ）は使用前の展開図、（ｂ）および（ｃ）は使用前を示す斜視図、（ｄ）は使用時を示す斜視図である。
【図５】本発明の実施形態に係るＣＴ検査用収容装置およびオプションを用いてＣＴ装置によるＣＴ撮影を実行する場合を示す斜視図である。
【図６】本発明の実施形態に係るＣＴ検査用収容装置のバリエーションを示す図である。（ａ）は腹部支持板のバリエーションを示す側面図、（ｂ）は収容部蓋体のバリエーションを示す側面図である。
【図７】本発明の実施形態に係るＣＴ検査用収容装置における収容部蓋体のバリエーションを示す図である。
【図８】被検査動物の身体の各部の寸法を定義するための図である。
【図９】ＣＴ検査用収容装置とＣＴ装置の移動台との固定手段を示す斜視図である。
【図１０】先行特許文献１に示された技術を用いた場合にＣＴ装置によるＣＴ撮影を実行する場合を示す斜視図である。
【発明を実施するための形態】
【００３７】
本発明の実施形態について、図面を参照させながら説明する。ここで使用する図面は、図１から図９である。図１０は、先行特許文献１に示された技術を示すが、比較参照のために用いる。
【００３８】
図１および図２を用いてＣＴ撮影の確実性を向上させるために被検査動物（図１および図２では猫）の動きを制限するためのＣＴ検査用収容装置を示す。
【００３９】
上面を開放可能とすることで検査対象である猫を収容可能な収容部本体１０と、その収容部本体１０における開放可能な面を開閉可能な収容部蓋体１１と、を備える。収容部蓋体１１は、収容部本体１０における長側板１２における一方（図1では奥側）の上部へ固定した蝶番１３（図２参照）にて開閉可能としている。また、蝶番１３が固定された反対側の長側板１２には、収容部蓋体１１を締めた状態で維持するための蓋固定具１６を備えている（図２参照）。
【００４０】
なお、Ｘ泉撮影に支障がないように、蝶番１３は、ネジを含めてアクリル製のものを採用した。
【００４１】
収容部本体１０における長手方向に垂直な断面形状は、底部側へ向かって直線的に狭める形状の腹部支持板１５としている。この腹部支持板１５の下面は、長側板１２の下端である接地部１２Ａとともに、接地するように形成されている（実際には、固定用のファスナが介在するが、この点については後述する）。
【００４２】
ＣＴ検査用収容装置１０は、無色透明の材質である熱可塑性樹脂の板材にて形成している。より具体的には、アクリル樹脂を採用した。
収容部本体１０の収容部蓋体１１，長側板１２、短側板１４には、多数の通気用貫通孔１０Ａを備えている。  通気用貫通孔１０Ａによって、被検査動物の呼吸に対する制限を減らし、収容部本体１０の内部空間の気温上昇を抑制する。
【００４３】
前記のＣＴ検査用収容装置１０は、その内部空間の横幅寸法を被検査動物が座った時の体幅寸法（図２（ｃ）参照）よりも小さい寸法として形成している。
「被検査動物が座った時の体幅寸法」とは、被検査動物が四肢を折り曲げて腹部を地に着けた時（座った時）に測定される寸法である。被検査動物（ＣまたはＤ）が立ち上がった状態の体幅寸法（図８（ａ）参照）よりは大きくなる。その「被検査動物が座った時の体幅寸法よりも小さい寸法」とは、その概ね９〜７割程度である。結果として、収容部本体１０の内部空間の横幅寸法は、体幅（Ｗ）を基準として、０．７Ｗ〜１．２Ｗ程度となる。
【００４４】
ＣＴ検査用収容装置１０の内部空間の横幅寸法は、被検査動物が座った時の体幅寸法よりも小さいので、被検査動物である猫や犬にとって身体全体の動きは大きく制限される。しかし、腹部を守る体勢となるためか、落ち着くことが多い（図２（ｄ）参照）。そのため、被検査動物の動きを極めて制限した状態で、ＣＴ撮影をすることができるため、撮影した画像がぶれにくく、質の高い画像データを得やすい。換言すれば、安価なＣＴ装置でも実用に耐えることとなる。
【００４５】
前述したＣＴ検査用収容装置１０の実際の寸法（外寸）は、被検査動物をミニチュアダックスフンドや通常の猫を想定した場合、以下の通りである。
長側板１２の長手方向のサイズ（縦幅寸法）が５００ミリメートル、短側板１４の幅方向サイズ（横幅寸法）が１６０ミリメートル、短側板１４の長手方向のサイズ（高さ寸法）が２５０ミリメートルとした。
５ミリメートル厚のアクリル樹脂製の板材を使用しているので、内部空間の大きさは、
４９０  Ｘ  １５０  Ｘ  ２４０  ミリメートル  となる。
【００４６】
実際に検査対象とした猫（Ｃ）の寸法は、以下の通りである（図８参照）。
体長（Ｌ）が４２センチメートル、体高（Ｈ）が３０センチメートル、体幅（Ｗ）が２０センチメートルであった。
なお、ＣＴ検査用収容装置１０の内部空間において被検査動物が入った状態での隙間には、被検査動物が愛用しているタオルなどを入れると、落ち着き度が増すようである。
【００４７】
（図３）
図３は、本発明の実施形態に係るＣＴ装置３０と、本発明の実Ｃ施形態に係るＣＴ検査用収容装置１０とを示す斜視図である。
ＣＴ装置３０は、円筒形の内部空間（Ｘ線照射空間）へＸ線を照射するＸ線照射装置３１と、前記のＸ線照射空間へ被検査動物を収容したＣＴ検査用収容装置１０を載せて移動させるための移動台３２と、その移動台３２を、前記のＸ線照射空間との間で出し入れするための駆動装置として機能する台移動装置３３とを備えている。
【００４８】
図３では、被検査動物の身体の向きを、移動台３２の長手方向に対して直角となるように図示している。被検査動物の身体の向きは、ＣＴ検査用収容装置１０を移動台３２に対して、どのような向きとして固定するか、で異なる。たとえば、図５では、被検査動物の身体の向きを移動台３２の長手方向に対して平行となるように、ＣＴ検査用収容装置１０を移動台３２に対して固定している。
【００４９】
（図４）
図４は、被検査動物の頭部の動きを抑制する頭部抑制具２０を示している。
この頭部抑制具２０は、扇状の板体からなる扇状本体２１、その扇状本体２１を湾曲させた状態で保持するための固定用帯体２３、その固定用帯体２３へ固定された面ファスナである帯側ファスナ２４、その帯側ファスナ２４を固定可能であって前記の扇状本体２１に固定された本体側ファスナ２５を備えている。
【００５０】
扇状本体２１は、弾性変形容易な熱可塑性樹脂で形成されており、被検査動物の呼吸を妨げないように、多数の貫通孔を備えている。いわゆる「カラー」と呼ばれるペット用品を流用する。
【００５１】
図４（ｂ）、（ｃ）に示すように、この頭部抑制具２０は、前記の被検査動物（ＣまたはＤ）の首へ固定用帯体２３、帯側ファスナ２４、および本体側ファスナ２５を用いて巻き付ける。そして、その頭部抑制具２０を首へ巻き付けた状態の被検査動物（ＣまたはＤ）を前記の収容部本体１０の内部空間へ収容する。その際、頭部抑制具２０は更に弾性変形することとなる。（図５参照）。
【００５２】
（図５）
図５に示すように、頭部抑制具２０と収容部本体１０の内部空間を形成する内壁とが接触するので、被検査動物（ＣまたはＤ）は頭を動かすためには、頭部抑制具２０の更なる弾性変形に抗した力を加えなくてはならない。そのため、被検査動物（ＣまたはＤ）は頭を動かしにくくなる。
ただし、被検査動物（ＣまたはＤ）は頭を動かしにくくなるものの、全く動かせなくなるような拘束状態ではないので、全く拘束された状態に比べるとストレスが小さい。その結果、撮影した画像がぶれにくく、特に頭部について質の高い画像データを得やすくなる。
【００５３】
（図６）
図６（ａ）は、腹部支持板のバリエーションを示す側面図である。図１などで示してきた実施形態では、製造のしやすさなどの理由から角張った腹部支持板１５としていたが、この実施形態では湾曲させた板状の腹部支持板１５Ａを採用している。湾曲した腹部支持板１５Ａのほうが、被検査動物（ＣまたはＤ）に対するストレスを小さくできると予想される。
【００５４】
図６（ｂ）は、収容部蓋体のバリエーションを示す側面図である。図１などで示してきた実施形態では、平板状の収容部蓋体１１としてきたが、この実施形態では上側へ膨らんだ屈曲型の収容部蓋体１１Ａを採用している。
収容部本体１０の内部空間を大きく確保できるので、体高の大きな被検査動物（図８（ｂ）参照）の場合、ストレスを小さくできると予想される。
【００５５】
（図７）
図７では、ＣＴ検査用収容装置における収容部蓋体のバリエーションを示す。図１などで示してきた実施形態では、収容部本体１０の上面を開放し、その上面に収容部蓋体１１を備えたものを示してきた。
この実施形態で示すのは、収容部本体１０において短側面の一方を開放し、その面へ収容部蓋体１１Ｂを備えたものである。被検査動物の種類によっては、この方が収容しやすい場合がある。
【００５６】
（図９）
図９では、収容部本体１０と移動台３２との固定手段、および固定方向について示している。移動第３２については、長手方向の寸法が実物はもっと長い。
移動台３２の所定箇所の上面には、面ファスナ３４が固定されており、収容部本体１０の底面にも面ファスナ１７が固定されている。これら面ファスナ１７，３４にて、被検査動物（ＣまたはＤ）を収容したままの収容部本体１０を、移動台３２へ固定する。
【００５７】
固定手段として面ファスナを採用したので、ＣＴスキャンをする方向を変更する作業が容易となる。
図９（ａ）では、移動台３２の移動方向を、被検査動物の体長方向へ一致させた状態での固定を示している。この方向は図５と同じである。
図９（ｂ）では、移動台３２の移動方向が、被検査動物の体長方向と直角となる状態での固定を示している。この方向は図３と同じである。
【００５８】
（図１０）
図１０は、特許文献１に開示された技術にて、ＣＴ装置による検査を実行する場合を図示した物である。
前述してきた実施形態に比べて、被検査動物の動きを抑制しきれない。そのため、質の高い画像データが得られる可能性を低めてしまう。
また、ＣＴスキャンをする方向を変更する作業が容易ではない、ということが想像される。
【００５９】
前述してきたように、本実施形態によれば、被検査動物に麻酔を用いることなく、落ち着いた状態をできるだけ早く提供し、良い画像データを得やすいＣＴ撮影が実行できる。
また、比較的安価なＣＴ装置でも質の高い画像データを得やすいことから、動物病院へのＣＴ装置の普及促進も期待できる。
【００６０】
図２を用いて示した収容部本体１０のサイズは、オトナの小型犬や猫に、概ね適しているサイズであるが、被検査動物の大きさに合わせて収容部本体１０のサイズは変更することは、当然である。
なお、被検査動物の大きさに対して、厳密な寸法が要求されるものではないので、複数種類のサイズを予め用意しておけば、ほとんどの検査に対応できると考えられる。
【産業上の利用可能性】
【００６１】
獣医師業、医療機器の製造業、医療機器のメンテナンス業、医療機器のレンタル業、などにおいて利用可能性を有する。
【符号の説明】
【００６２】
Ｃ  ；被検査動物（猫）          Ｄ  ；被検査動物（犬）
１０  ；収容部本体              １０Ａ；通気用貫通孔
１１  ；収容部蓋体（上蓋）      １１Ａ；収容部蓋体（屈曲型）
１１Ｂ：収容部蓋体（短側蓋）
１２  ；長側板                  １２Ａ；接地部
１３  ；蝶番                    １４  ；短側板
１５  ；腹部支持板              １５Ａ；腹部支持板（湾曲板）
１６  ；蓋固定具                １７  ；面ファスナ
２０  ；頭部抑制具              ２１  ；扇状本体
２２  ；首接触部                ２３  ；固定用帯体
２４  ；帯側ファスナ            ２５  ；本体側ファスナ
２６  ；通気用貫通孔
３０  ；ＣＴ装置                ３１  ；Ｘ線照射装置
３２  ；移動台                  ３３  ；台移動装置
３４  ；面ファスナ
４０  ；肢体保持具              ４１  ：頭部保持具
【図１】
2019209019.tif 000003
【図２】
2019209019.tif 000004
【図３】
2019209019.tif 000005
【図４】
2019209019.tif 000006
【図５】
2019209019.tif 000007
【図６】
2019209019.tif 000008
【図７】
2019209019.tif 000009
【図８】
2019209019.tif 000010
【図９】
2019209019.tif 000011
【図１０】
2019209019.tif 000012